【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
本体と、柔軟な細長い部材をクランプするための前記本体中のクランプ構成と、第２の協同構成と協同するための第１の協同構成とを備えるクランプ装置において、
前記本体は、前面、背面、及び両端を有し、前記前面及び背面は前記両端の間に伸長しており、
前記本体は、前記細長い部材に対して貫通路を規定し、前記本体は、前記貫通路に向かって伸長するガイド構造を含み、
前記クランプ構成は、前記貫通路中に前記細長い部材をクランプするための、前記貫通路に向かって前記ガイド構造に沿って移動可能なクランプ部材を備え、前記クランプ構成は、前記貫通路に向かって前記クランプ部材を付勢するための付勢部材をさらに含み、
前記第２の協同構成は、前記クランプ装置を支持するための支持構成の一部であり、
前記第１の協同構成は、一対の対向側部と、前記対向側部間に伸長する架橋部とを備え、前記対向側部は前記背面に取り付けられている、クランプ装置。
【請求項２】
前記第１の協同構成は、前記第２の協同構成を収容するための開口を規定する、実質的にＵ字形の部材を備える、請求項１に記載のクランプ装置。
【請求項３】
前記本体は、前記貫通路と通じる空間を規定し、
前記ガイド構造は、前記空間に沿って伸張する前記空間の壁を構成し、
前記ガイド構造は、前記貫通路に対して傾斜しており、
前記本体は係合壁を備え、
前記貫通路は前記係合壁に沿って伸長し、
前記クランプ部材は、前記係合壁に対して前記細長い部材をクランプするように、前記係合壁に向かって付勢手段によって付勢される、請求項１又は２に記載のクランプ装置。
【請求項４】
クランプ装置と前記クランプ装置を支持する支持構成とを備える固定アセンブリであって、
前記クランプ装置は、本体と、前記本体中のクランプ構成と、前記本体上の第１の協同構成とを備え、
前記本体は、前面、背面、及び両端を有し、前記前面及び背面は前記両端の間に伸長しており、
前記本体は、細長い部材に対して貫通路を規定し、前記本体は、前記貫通路に向かって伸長するガイド構造を含み、
前記クランプ構成は、前記貫通路中に前記細長い部材をクランプするための、前記貫通路に向かって前記ガイド構造に沿って移動可能なクランプ部材を備え、前記クランプ構成は、前記貫通路に向かって前記クランプ部材を付勢するための付勢部材をさらに含み、
前記固定アセンブリは、前記クランプ構成によってクランプされることができる柔軟な細長い部材をさらに含み、
前記支持構成は、第２の協同構成を備え、前記第１の協同構成が前記クランプ装置を支持するための前記第２の協同構成と協同でき、
前記第１の協同構成は、前記収容構造を備え、前記第２の協同構成は、前記フック部を備え、
前記収容構造は、一対の対向側部と、前記対向側部間に伸長する架橋部とを備え、前記対向側部は前記背面に取り付けられている、
固定アセンブリ。
【請求項５】
前記支持構成は、支持部材上に、上下に構成された複数の前記第２の協同構成を備える、請求項４に記載の固定アセンブリ。
【請求項６】
前記収容構造は、前記第２の協同構成を収容するための開口を規定する、実質的にＵ字形の部材を備える、請求項４又は５に記載の固定アセンブリ。
【請求項７】
前記本体は、前記貫通路と通じる空間を規定し、前記ガイド構造は、前記空間に沿って伸張する前記空間の壁を構成し、前記ガイド構造は、前記貫通路に対して傾斜しており、
前記本体は係合壁を備え、前記貫通路は前記係合壁に沿って伸長し、前記クランプ部材は、前記係合壁に対して前記細長い部材をクランプするように、前記係合壁に向かって付勢手段によって付勢されている、請求項４から６のいずれか１項に記載の固定アセンブリ。
【請求項８】
前記支持構成は、支持部材と前記支持部材上の少なくとも１つの第２の構造とを備える、請求項４から７のいずれか一項に記載の固定アセンブリ。
【請求項９】
前記支持構成は、据え付け部材を備え、前記第２の協同構成は、前記据え付け部材上に設けられ、前記据え付け部材は支持部材に締結されることができる、請求項４から７のいずれか一項に記載の固定アセンブリ。
【請求項１０】
前記第２の協同構成は、前記第１の協同構成を保持するための対向凹部を規定するフック部を備える、請求項９に記載の固定アセンブリ。
【請求項１１】
破損から前記細長い部材を保護するための保護装置をさらに含み、
前記保護装置は、主要部と、溝構成を通して前記細長い部材を収容するための前記主要部上の溝構成とを備える、請求項４から１０のいずれか一項に記載の固定アセンブリ。
【請求項１２】
前記溝構成は、前記細長い部材の第１の領域を収容するための第１の溝部と、
前記細長い部材の第２の領域を収容するための第２の溝部を備える、請求項１１に記載の固定アセンブリ。
【請求項１３】
前記第１の溝部は、前記細長い部材の前記第１の領域を収容するために、前記主要部の第１の側に沿って第１の細長い開きを有し、
前記第２の溝部は、前記細長い部材の前記第１の領域を収容するために、前記主要部の第２の側である対向側に沿って第２の細長い開きを有し、
前記第１及び第２の細長い開きは、反対方向に面している、請求項１２に記載の固定アセンブリ。
【請求項１４】
前記第１及び第２の溝部は互いに整列され、
前記第１の溝部は、その間に間隙を規定するように前記第２の溝部から間を空けている、請求項１２又は１３に記載の固定アセンブリ。
【請求項１５】
前記保護装置は、２つの端支持構成間の中間支持構成上で、前記第２の協同構成のうちの選択した１つと協同するように、前記主要部上に前記第１の協同構成のうちの１つを含む、請求項１１から１４のいずれか一項に記載の固定アセンブリ。
【請求項１６】
前記固定アセンブリは、端支持構成間に複数の中間支持構成を備え、さらに複数の前記保護装置を含み、各保護装置は、前記細長い部材をそれぞれの支持構成に固定する、請求項１１から１５のいずれか一項に記載の固定アセンブリ。
【請求項１７】
請求項４に記載の固定アセンブリを使用する方法において、前記方法は、
細長い部材とクランプ装置を提供することと、
前記クランプ装置を前記細長い部材の一端領域に固定することと、ここで、前記クランプ装置は、第１の協同構成を有し、
垂直アレイ中で構成された複数の第２の協同構成を有する支持構成を提供することと、
前記第１及び選択した第２の協同構成間の協同をもたらすことにより、前記第２の協同構成のうちの選択した１つの上で前記クランプ装置を支持することと、
前記第１及び他の選択した第２の協同構成間の協同をもたらすことにより、前記クランプ装置を別の選択した第２の協同構成に動かすこととを備える、方法。
【請求項１８】
前記方法は、２つのクランプ装置を提供することと、
前記細長い部材のそれぞれの対向端領域において、各クランプ装置を固定することとを備え、
各クランプ装置は、それぞれ第１の協同構成を有する、請求項１７に記載の方法。
【請求項１９】
前記方法は、２つの支持構成を提供することと、ここで、それぞれは、垂直アレイで構成された複数の前記第２の協同構成を有し、
前記それぞれの第１及び選択した第２の協同構成間の協同をもたらすことにより、前記それぞれの支持構成の前記第２の協同構成のうちの選択した１つの上で各クランプ装置を支持することとを備える、請求項１８に記載の方法。
【請求項２０】
前記方法は、前記第１及び選択したさらなる第２の協同構成の間の協同をもたらすことにより、前記それぞれの選択したさらなる第２の協同構成上で各クランプ装置を支持するために、各クランプ装置を前記選択したさらなる第２の協同構成に動かすことを備える、請求項１８又は１９に記載の方法。
【請求項２１】
前記方法は、破損から前記細長い部材を保護するための保護装置を提供することを備え、
前記保護装置は、主要部と、溝構成を通して前記細長い部材を収容するための前記主要部上の溝構成とを備える、請求項１７から２０のいずれか一項に記載の方法。
【請求項２２】
前記溝構成は、前記細長い部材の第１の領域を収容するための第１の溝部と、前記細長い部材の第２の領域を収容するための第２の溝部を備え、
前記第１の溝部は、前記細長い部材の前記第１の領域を収容するために、前記主要部の第１の側に沿って第１の細長い開きを有し、前記第２の溝部は、前記細長い部材の前記第１の領域を収容するために、前記主要部の第２の側である対向側に沿って第２の細長い開きを有し、前記第１及び第２の細長い開きは、反対方向に面している、請求項２１に記載の方法。
【請求項２３】
前記第１及び第２の溝部は互いに整列され、
前記第１の溝部は、その間に間隙を規定するように前記第２の溝部から間を空けている、請求項２２に記載の方法。
【請求項２４】
前記保護装置は、前記２つの端支持構成間で、中間支持構成上で前記第２の協同構成のうちの選択した１つと協同するように、前記主要部上に前記第１の協同構成のうちの１つを含む、請求項２１から２３のいずれか一項に記載の方法。
【請求項２５】
前記方法は、
複数の保護装置を提供することと、前記保護装置を前記細長い部材の空間を空けた領域に据え付けることと、複数の中間支持構成を提供することとを備え、それぞれは、垂直アレイで構成された複数の前記第２の協同構成を有し、前記方法は、さらに、前記それぞれの第１及び前記選択した第２の協同構成間の協同をもたらすことにより、前記それぞれの中間支持構成の前記第２の協同構成のうちの選択した１つの上で各クランプ装置を支持することを含む、請求項２３又は２４に記載の方法。
【請求項２６】
前記方法は、前記第１及び選択したさらなる第２の協同構成の間の協同をもたらすことにより、前記それぞれの選択したさらなる第２の協同構成上で各保護装置を支持するために、各保護装置を前記選択したさらなる第２の協同構成に動かすことをさらに含む、請求項２５に記載の方法。
【手続補正２】
【補正対象書類名】明細書
【補正対象項目名】００７９
【補正方法】変更
【補正の内容】
【００７９】
その後、側部３８Ａのうちの１つが凹部１３２のうちの１つに収容されるように、クランプ装置を引っ張る効果を有する細長い部材１２は、きつく引っ張られることができ、これにより、支持構成１２０上にクランプ装置１０を固定する。
以下に、出願当初の特許請求の範囲に記載の事項を、そのまま、付記しておく。
［１］  本体と、柔軟な細長い部材をクランプするための前記本体中のクランプ構成と、第２の協同構成と協同するための第１の協同構成とを備えるクランプ装置において、
前記第２の協同構成は、前記クランプ装置を支持するための支持構成の一部であり、
前記第１の協同構成は、一対の対向側部と、前記対向側部間に伸長する架橋部とを備える、クランプ装置。
［２］  前記第１の協同構成は、前記第２の協同構成を収容するための開口を規定する、実質的にＵ字形の部材を備える、［１］に記載のクランプ装置。
［３］  前記本体は、前記細長い部材に対して貫通路を規定し、
前記本体は、前記貫通路に向かって伸長するガイド構造を含み、
前記クランプ構成は、前記貫通路中に前記細長い部材をクランプするための、前記貫通路に向かって前記ガイド構造に沿って移動可能なクランプ部材を備え、
前記クランプ構成は、前記貫通路に向かって前記クランプ部材を付勢するための付勢部材をさらに含む、［１］又は［２］に記載のクランプ装置。
［４］  前記本体は、前記貫通路と通じる空間を規定し、
前記ガイド構造は、前記空間に沿って伸張する前記空間の壁を構成し、
前記ガイド構造は、前記貫通路に対して傾斜している、［３］に記載のクランプ装置。
［５］  前記本体は係合壁を備え、
前記貫通路は前記係合壁に沿って伸長し、
前記クランプ部材は、前記係合壁に対して前記細長い部材をクランプするように、前記係合壁に向かって付勢手段によって付勢される、［３］又は［４］に記載のクランプ装置。
［６］  本体と、前記本体中のクランプ構成と、前記本体上の第１の協同構成とを備える固定アセンブリにおいて、
前記固定アセンブリは、前記クランプ構成によってクランプされることができる柔軟な細長い部材と、クランプ装置を支持するための支持構成とをさらに含み、
前記支持構成は、第２の協同構成を備え、
第１の協同構成は、前記クランプ装置を支持するための前記第２の協同構成と協同できる、固定アセンブリ。
［７］  前記支持構成は、支持部材上に、上下に構成された複数の前記第２の協同構成を備える、［６］に記載の固定アセンブリ。
［８］  前記第１及び第２の協同構成のうちの一方は、フック部を備え、
前記第１及び第２の協同構成のうちの他方は、前記フック部を収容するための収容構造を備える、［６］又は［７］に記載の固定アセンブリ。
［９］  前記第１の協同構成は、前記収容構造を備え、
前記第２の協同構成は、前記フック部を備える、［８］に記載の固定アセンブリ。
［１０］  前記収容構造は、一対の対向側部と、前記対向側部間に伸長する架橋部とを備える、［８］又は［９］に記載の固定アセンブリ。
［１１］  前記収容構造は、前記第２の協同構成を収容するための開口を規定する、実質的にＵ字形の部材を備えてよい、［８］、［９］、又は［１０］に記載の固定アセンブリ。
［１２］  前記本体は、細長い部材に対して貫通路を規定し、
前記本体は、前記貫通路に向かって伸張するガイド構造を含み、
前記クランプ構成は、前記貫通路中に前記細長い部材をクランプするための、前記貫通路に向かって前記ガイド構造に沿って移動可能なクランプ部材を備え、
前記クランプ構成は、前記貫通路に向かって前記クランプ部材を付勢するための付勢部材をさらに含む、［６］から［１１］のうちのいずれか一項に記載の固定アセンブリ。
［１３］  前記本体は、前記貫通路と通じる空間を規定し、
前記ガイド構造は、前記空間に沿って伸張する前記空間の壁を構成し、
前記ガイド構造は、前記貫通路に対して傾斜している、［１２］に記載の固定アセンブリ。
［１４］  前記本体は係合壁を備え、
前記貫通路は前記係合壁に沿って伸長し、
前記クランプ部材は、前記係合壁に対して前記細長い部材をクランプするように、前記係合壁に向かって付勢手段によって付勢される、［１２］又は［１３］に記載の固定アセンブリ。
［１５］  前記支持構成は、支持部材と前記支持部材上の少なくとも１つの第２の構造とを備える、［６］から［１４］のうちのいずれか一項に記載の固定アセンブリ。
［１６］  前記支持構成は、前記支持部材上に複数の前記第２の協同構成を備え、
前記第２の協同構成は、前記支持部材上に実質的に垂直アレイで構成され得る、［１５］に記載の固定アセンブリ。
［１７］  各第２の構造は前記支持部材により一体的に形成される、［１６］に記載の固定アセンブリ。
［１８］  前記支持構成は、据え付け部材と前記据え付け部材上の第２の協同構成とを備え、
前記据え付け部材は、支持部材に締結されることができる、［６］から［１４］のうちのいずれか一項に記載の固定アセンブリ。
［１９］  複数の前記支持構成は、前記支持部材に締結されることができ、
前記複数の支持構成は、前記支持部材上に実質的に垂直アレイで構成される、［１８］に記載の固定アセンブリ。
［２０］  前記第２の協同構成は、前記第１の協同構成を保持するための対向凹部を規定するフック部を備える、［１８］又は［１９］に記載の固定アセンブリ。
［２１］  前記第２の協同構成は、前記据え付け部材から上方向に伸長している、［１８］、［１９］又は［２０］に記載の固定アセンブリ。
［２２］  前記第２の協同構成は、前記据え付け部材の上端から伸長し得る、［２１］に記載の固定アセンブリ。
［２３］  破損から前記細長い部材を保護するための保護装置をさらに含み、
前記保護装置は、主要部と、溝構成を通して前記細長い部材を収容するための前記主要部上の溝構成とを備える、［６］から［２２］のうちのいずれか一項に記載の固定アセンブリ。
［２４］  前記溝構成は、前記細長い部材の第１の領域を収容するための第１の溝部と、
前記細長い部材の第２の領域を収容するための第２の溝部を備える、［２３］に記載の固定アセンブリ。
［２５］  前記第１の溝部は、前記細長い部材の前記第１の領域を収容するために、前記主要部の第１の側に沿って第１の細長い開きを有し、
前記第２の溝部は、前記細長い部材の前記第１の領域を収容するために、前記主要部の第２の側である対向側に沿って第２の細長い開きを有し、
前記第１及び第２の細長い開きは、反対方向に面している、［２４］に記載の固定アセンブリ。
［２６］  前記第１及び第２の溝部は互いに整列され、
前記第１の溝部は、その間に間隙を規定するように前記第２の溝部から間を空けている、［２４］又は［２５］に記載の固定アセンブリ。
［２７］  前記保護装置は、前記２つの端支持構成間の中間支持構成上で、前記第２の協同構成のうちの選択した１つと協同するように、前記主要部上に前記第１の協同構成のうちの１つを含む、［２３］から［２６］のうちのいずれか一項に記載の固定アセンブリ。
［２８］  前記固定アセンブリは、前記端支持構成間に複数の中間支持構成を備え、
前記固定アセンブリは、複数の前記保護装置をさらに含み、
各保護装置は、前記細長い部材をそれぞれの支持構成に固定する、［２３］から［２７］のうちのいずれか一項に記載の固定アセンブリ。
［２９］  破損から細長い部材を保護するための保護装置において、
前記保護装置は、主要部と前記細長い部材を収容するための主要部上の溝構成とを備え、
前記溝構成は、前記細長い部材の第１の領域を収容するための第１の溝部と、前記細長い部材の第２の領域を収容するための第２の溝部とを備える、
保護装置。
［３０］  前記第１の溝部は、前記細長い部材の前記第１の領域を収容するために、前記主要部の第１の側に沿って第１の細長い開きを有し、
前記第２の溝部は、前記細長い部材の前記第１の領域を収容するために、前記主要部の第２の側である対向側に沿って第２の細長い開きを有し、
前記第１及び第２の細長い開きは、反対方向に面している、［２９］に記載の保護装置。
［３１］  前記第１及び第２の溝部は互いに整列され、
前記第１の溝部は、その間に間隙を規定するように前記第２の溝部から間を空けている、［２９］又は［３０］に記載の保護装置。
［３２］  前記保護装置は、前記２つの端支持構成間の中間支持構成上で第２の協同構成のうちの選択した１つと協同するように、前記主要部上に第１の協同構成のうちの１つを含む、［２９］、［３０］又は［３１］に記載の保護装置。
［３３］  ［６］に記載の固定アセンブリで使用するための支持構成において、
前記支持構成は、据え付け部材とクランプ装置上で第１の協同構成と協同するための前記据え付け部材上の第２の協同構成とを備え、
前記据え付け部材は、支持部に締結されることができる、支持構成。
［３４］  前記第２の協同構成は、前記第１の協同構成を保持するための対向凹部を規定するフック部を備える、［３３］に記載の固定アセンブリ。
［３５］  前記第２の協同構成は、前記据え付け部材から上方向に伸長している、［３３］又は［３４］に記載の固定アセンブリ。
［３６］  前記第２の協同構成は、前記据え付け部材の上端から伸長している、［３５］に記載の固定アセンブリ。
［３７］  ［６］に記載の固定アセンブリを使用する方法において、前記方法は、
細長い部材とクランプ装置を提供することと、
前記クランプ装置を前記細長い部材の一端領域に固定することと、ここで、前記クランプ装置は、第１の協同構成を有し、
垂直アレイ中で構成された複数の第２の協同構成を有する支持構成を提供することと、
前記第１及び選択した第２の協同構成間の協同をもたらすことにより、前記第２の協同構成のうちの選択した１つの上で前記クランプ装置を支持することと、
前記第１及び他の選択した第２の協同構成間の協同をもたらすことにより、前記クランプ装置を別の選択した第２の協同構成に動かすこととを備える、方法。
［３８］  前記方法は、２つのクランプ装置を提供することと、
前記細長い部材のそれぞれの対向端領域において、各クランプ装置を固定することとを備え、
各クランプ装置は、それぞれ第１の協同構成を有する、［３７］に記載の方法。
［３９］  前記方法は、２つの支持構成を提供することと、ここで、それぞれは、垂直アレイで構成された複数の前記第２の協同構成を有し、
前記それぞれの第１及び選択した第２の協同構成間の協同をもたらすことにより、前記それぞれの支持構成の前記第２の協同構成のうちの選択した１つの上で各クランプ装置を支持することとを備える、［３８］に記載の方法。
［４０］  前記方法は、前記第１及び選択したさらなる第２の協同構成の間の協同をもたらすことにより、前記それぞれの選択したさらなる第２の協同構成上で各クランプ装置を支持するために、各クランプ装置を前記選択したさらなる第２の協同構成に動かすことを備える、［３８］又は［３９］に記載の方法。
［４１］  前記方法は、破損から前記細長い部材を保護するための保護装置を提供することを備え、
前記保護装置は、主要部と、溝構成を通して前記細長い部材を収容するための前記主要部上の溝構成とを備える、［３７］から［４０］のうちのいずれか一項に記載の方法。
［４２］  前記溝構成は、前記細長い部材の第１の領域を収容するための第１の溝部と、前記細長い部材の第２の領域を収容するための第２の溝部を備える、［４１］に記載の方法。
［４３］  前記第１の溝部は、前記細長い部材の前記第１の領域を収容するために、前記主要部の第１の側に沿って第１の細長い開きを有し、
前記第２の溝部は、前記細長い部材の前記第１の領域を収容するために、前記主要部の第２の側である対向側に沿って第２の細長い開きを有し、
前記第１及び第２の細長い開きは、反対方向に面している、［４２］に記載の方法。
［４４］  前記第１及び第２の溝部は互いに整列され、
前記第１の溝部は、その間に間隙を規定するように前記第２の溝部から間を空けている、［４２］又は［４３］に記載の方法。
［４５］  前記保護装置は、前記２つの端支持構成間で、中間支持構成上で前記第２の協同構成のうちの選択した１つと協同するように、前記主要部上に前記第１の協同構成のうちの１つを含む、［４１］から［４４］のうちのいずれか一項に記載の方法。
［４６］  前記方法は、
複数の保護装置を提供することと、
前記保護装置を前記細長い部材の空間を空けた領域に据え付けることと、
複数の中間支持構成を提供することとを備え、
それぞれは、垂直アレイで構成された複数の前記第２の協同構成を有する、［４１］から［４５］のうちのいずれか一項に記載の方法。
［４７］  前記方法は、前記それぞれの第１及び前記選択した第２の協同構成間の協同をもたらすことにより、前記それぞれの中間支持構成の前記第２の協同構成のうちの選択した１つの上で各クランプ装置を支持することを含む、［４６］に記載の方法。
［４８］  前記方法は、前記第１及び選択したさらなる第２の協同構成の間の協同をもたらすことにより、前記それぞれの選択したさらなる第２の協同構成上で各保護装置を支持するために、各保護装置を前記選択したさらなる第２の協同構成に動かすことをさらに含む、［４７］に記載の方法。
［４９］  実質的に、添付図面の図１、３、４、及び８を参照してここで説明したような固定装置。
［５０］  実質的に、添付図面の図１、３、４、及び６から１１を参照してここで説明したような固定アセンブリ。
［５１］  実質的に、添付図面の図２、３、及び７から１１を参照してここで説明したような固定アセンブリ。
［５２］  実質的に、添付図面の図３、７、８、及び９から１４を参照してここで説明したような固定アセンブリ。
［５３］  実質的に、添付図面の図７、及び９から１１を参照してここで説明したような保護装置。
［５４］  実質的に、添付図面の図１、３、４、及び６から１１を参照してここで説明したような、［３３］から［４４］のうちのいずれか一項に記載の方法。
［５５］  実質的に、添付図面の図２、３、及び７から１１を参照してここで説明したような、［３３］から［４４］のうちのいずれか一項に記載の方法。
［５６］  実質的に、添付図面の図３、７、８、及び９から１４を参照してここで説明したような、［３３］から［４４］のうちのいずれか一項に記載の方法。